(57)【要約】    【課題】  リーダーテープの接合部で用いられるスプライシングテープの厚みの影響を受けて、リールに巻き付けられたストレージテープに段差状の変形が生じるのを抑制する。    【解決手段】  ストレージテープ２４を構成するリーダーテープ１０８とデータテープ１０６との接合部にスプライシングテープ１１２が張り付けられる。データテープ１０６の長手方向にほぼ平行な側縁部１１８、１２０に対して傾斜した傾斜縁部１１４、１１６をスプライシングテープ１１２は有している。ストレージテープ２４をリールに巻き付けたとき、傾斜縁部１１４、１１６の作用によってストレージテープ２４の巻き径が徐変するので、ストレージテープ２４の変形が抑制されて安定したデータの書き込み・読み出しが可能となる。    【選択図】    図３
2005063649.tif 000002
【特許請求の範囲】
【請求項１】
テープカートリッジであって、
リールと、
前記リールに巻き付けられ、側縁部を有する、データを記憶するためのデータテープと、
リーダーテープと、
前記リーダーテープを前記データテープにつなぐためのスプライシングテープとを備え、
前記スプライシングテープは、前記データテープの前記側縁部に対して傾斜した傾斜部を有する縁部を有することを特徴とするテープカートリッジ。
【請求項２】
前記リーダーテープは側縁部を有し、前記スプライシングテープの前記縁部の前記傾斜部は、前記リーダーテープの前記側縁部に対して傾斜していることを特徴とする請求項１に記載のテープカートリッジ。
【請求項３】
前記データテープは、前記データテープの長さ方向に沿って延びる長手方向軸を有し、前記側縁部は、前記長手方向軸に対してほぼ平行であることを特徴とする請求項２に記載のテープカートリッジ。
【請求項４】
前記スプライシングテープは、前記リーダーテープおよび前記データテープの前記側縁部に対して傾斜した傾斜部を有するもう一つの縁部を有することを特徴とする請求項３に記載のテープカートリッジ。
【請求項５】
前記リールを収容するハウジングと、
前記ハウジングから取り出すことが可能になっている、前記リーダーテープに取り付けられるリーダーピンと
をさらに備えることを特徴とする請求項１に記載のテープカートリッジ。
【請求項６】
前記ハウジングは、前記ハウジングから前記リーダーピンを取り出す際に前記リーダーピンが通るようになっている開口部を有することを特徴とする請求項５に記載のテープカートリッジ。
【請求項７】
前記データテープは、前記スプライシングテープに張り付けられる第１の終端部分を有し、前記リーダーテープは、前記スプライシングテープに張り付けられる終端部分を有し、前記データテープの前記第１の終端部分は、前記データテープの前記側縁部とほぼ垂直な第１の端縁部を有し、前記リーダーテープの終端部分は、前記データテープの前記第１の端縁部とほぼ平行な端縁部を有することを特徴とする請求項１に記載のテープカートリッジ。
【請求項８】
前記データテープは、第２の端縁部を有する第２の終端部分を有し、前記第２の端縁部は、前記データテープの前記側縁部に対して傾斜していることを特徴とする請求項７に記載のテープカートリッジ。
【請求項９】
ソースリールをさらに有し、
前記ソースリールはハブを有し、前記データテープの前記第２の終端部分は、前記ハブの表面と接触することを特徴とする請求項８に記載のテープカートリッジ。
【請求項１０】
前記データテープは、前記スプライシングテープに張り付けられる第１の終端部分を有し、前記データテープの前記第１の終端部分は、前記データテープの前記側縁部に対して傾斜している第１の縁部を有することを特徴とする請求項１に記載のテープカートリッジ。
【請求項１１】
前記リーダーテープは、側縁部および前記スプライシングテープに張り付けられる終端部分を有し、前記スプライシングテープの前記終端部分は、前記リーダーテープの前記側縁部に対して傾斜した縁部を有することを特徴とする請求項１０に記載のテープカートリッジ。
【請求項１２】
前記スプライシングテープの前記縁部は、ほぼＶ形状であることを特徴とする請求項１に記載のテープカートリッジ。
【請求項１３】
前記データテープは、前記スプライシングテープに張り付けられる第１の終端部分を有し、前記データテープの前記第１の終端部分は、ほぼＶ形状の第１の端縁部を有することを特徴とする請求項１２に記載のテープカートリッジ。
【請求項１４】
前記リーダーテープは、前記スプライシングテープに張り付けられる終端部分を有し、前記スプライシングテープの前記終端部分は、ほぼＶ形状の端縁部を有することを特徴とする請求項１２に記載のテープカートリッジ。
【請求項１５】
前記データテープは、前記ソースリールのハブに取り付けられる終端部分を有し、前記データテープの前記終端部分は、ほぼＶ形状の端縁部を有することを特徴とする請求項１２に記載のテープカートリッジ。
【請求項１６】
（ａ）  巻取りリールと、
（ｂ）  テープドライブに取り外し可能に取り付けられるテープカートリッジであって、
ソースリールと、
前記ソースリールに巻き付けられ、側縁部を有する、データを記憶するためのデータテープと、
第２のテープと、
前記第２のテープを前記データテープに連結するためのスプライシングテープとを備えるテープカートリッジと
を備え、
前記スプライシングテープは、前記データテープの前記側縁部に対して傾斜した角度の部分を備えた縁部を有することを特徴とするテープドライブ。
【請求項１７】
リール、および前記リールに取り付けられた、データを記憶するためのストレージテープを有するテープカートリッジを設けることと、
前記ストレージテープの長手方向軸とほぼ平行な側縁部を有するスプライシングテープであって、前記ストレージテープの複数のテープ部分をつなぐためのスプライシングテープを設けることと、
前記側縁部に対して傾斜した部分を有する、前記スプライシングテープの端縁部を設けることと
を含むことを特徴とする方法。
【請求項１８】
前記スプライシングテープを設けることは、リーダーテープをデータテープにつなぐためのスプライシングテープを設けることを含むことを特徴とする請求項１７に記載の方法。
【請求項１９】
前記データテープの第１の終端部分を前記スプライシングテープに張り付けることと、
前記リールに取り付けられる前記データテープの第２の終端部分に傾斜縁部を設けることと
をさらに含むことを特徴とする請求項１８に記載の方法。
【請求項２０】
リールと、
前記リールに巻き付けられるデータテープであって、側縁部および第１の端縁部を有する、データを記憶するためのデータテープと、
前記データテープの前記第１の端縁部に近接した端縁部を有するリーダーテープとを備え、
前記リーダーテープの前記端縁部および前記データテープの前記第１の端縁部のそれぞれは、前記データテープの前記側縁部に対して傾斜していることを特徴とするテープカートリッジ。
【発明の詳細な説明】
【技術分野】
【０００１】
本発明は、テープのスプライシングに関する。
【背景技術】
【０００２】
データを記憶するための広範囲に用いられている記憶媒体は、磁気テープまたは光学テープなどのテープである。ストレージテープは、様々なタイプのテープカセットまたはカートリッジに装填することができる。テープカセットまたはカートリッジの１つのタイプとして、テープ全体がカセットまたはカートリッジ内に収納される２リールもしくは２スピンドルカセットまたはカートリッジが挙げられる。テープの一端は、第１のリールに取り付けられ、テープの他端は、第２のリールに取り付けられる。カセットまたはカートリッジは、テープドライブに装填される。テープドライブは、テープが一方のリールから他方のリールへ巻き付けられるときに、テープと接し、テープからデータを読み出したり、テープにデータを記録したりするテープヘッドを有する。
【０００３】
あるいは、カートリッジが１つのリールまたはスピンドルを有する単一リールまたは単一スピンドルテープカートリッジを用いることができる。単一リールカートリッジは、一般に、２リールテープカセットまたはカートリッジよりもスペース効率がよい。単一リールデザインでは、ソースリールは、テープカートリッジ内に配置されるが、巻取りリールは、テープドライブ内のカートリッジの外側に配置される。
【０００４】
単一リールカートリッジがテープドライブに装填されると、テープドライブは、通常、テープの端部をカートリッジから取り外す（取り出す）ためにピッカーまたはリーダーブロックを用いる。次に、テープは、テープドライブ内の巻取りリールに取り付けられ、次に、テープは、ソースリールから巻取りリールに巻き付けられる。テープドライブに引き込まれるテープ端部は、リーダーピンと呼ばれる部材に固定される。用いることのできるリーダーピンにはさまざまなデザインのものがある。このようなリーダーピンの１つのデザインは、「Data Interchange on 12,7mm 384-Track Magnetic Tape Cartridges--Ultrium-1 Format」（Standard ECMA-319, June 2001）に記載されているＵｌｔｒｉｕｍ  Ｓｔａｎｄａｒｄのバージョンに適合するリーダーピンアセンブリが挙げられる。
【０００５】
単一リールカートリッジ内のテープは、リーダーテープおよび（データを格納するための）データテープを有し、リーダーテープは、リーダーピンアセンブリに取り付けられている。リーダーテープは、スプライシングテープの片によってデータテープにつながれる、すなわち連結される。一般に、リーダーテープは、データテープよりも厚くなっており、スレッディング（テープ掛け）動作時に破損しない強度を有する。スプライシングテープはまた、比較的厚い（通常は、リーダーテープよりも厚い）テープである。この結果、スプライシングテープの縁部およびリーダーテープからデータテープへの移行部においてテープの厚さが急に変化する。テープがテープドライブ内の巻取りリールに巻き付けられると、急な厚さの変化によって、テープパック（巻取りリールに巻き付けられる複数のテープの巻きを含む）に隆起が生じる。隆起は、通常、多くのテープの層を通して、大抵の場合、巻取りリール上のテープパック全体を通して生じる。テープが巻戻しサイクルの最後に巻取りリールから解かれると、刻まれた隆起によって、テープは物理的に励振する場合がある。テープにおける物理的な励振によって、テープは望ましくない運動を生じる。この運動は、テープドライブ回路によって検出され、位置エラー信号（ＰＥＳ）としてインディケートされてテープドライブのテープヘッドによって用いられ、テープの望ましくない運動が補償される。
【発明の開示】
【発明が解決しようとする課題】
【０００６】
本発明は、スプライシングテープの縁部およびリーダーテープからデータテープへの移行部においてテープの厚さが急に変化するのを抑制し、テープがテープドライブ内の巻取りリールに巻き付けられたときに、巻取りリールに巻き付けられる複数のテープの巻きに隆起（変形）が生じるのを抑制することを目的とする。
【課題を解決するための手段】
【０００７】
本発明はテープカートリッジに適用され、
リールと、
リールに巻き付けられ、側縁部を有する、データを記憶するためのデータテープと、
リーダーテープと、
リーダーテープをデータテープにつなぐためのスプライシングテープとを備え、
スプライシングテープは、データテープの側縁部に対して傾斜した傾斜部を有する縁部を有することにより、上述した課題を解決する。
【発明を実施するための最良の形態】
【０００８】
図１および図２は、いくつかの実施形態による、テープカートリッジ１２を収容することが可能な例示的なテープドライブ１０の部分を示す。テープカートリッジ１２は、ストレージテープ（図２では、２４で示される）が巻き付けられるソース（供給側）リール１４を収容するハウジング１１を有する。「ストレージテープ」は、一般に、比較的長い狭いストリップである（磁気または光学記憶媒体などの）記憶媒体を指す。ストレージテープは、テープがデータを記憶できるようにする材料（たとえば、磁気または光学材料）で形成されている。ストレージテープは、データを記憶するためのデータテープと、ストレージテープをリーダーピン１６に取り付けるためのリーダーテープとを含むいくつかの部分を有する。本明細書で用いられる場合、「データ」は、ユーザデータ、プログラムデータ、プログラム命令、および他の形式の情報を含む様々なタイプの情報を指す。リーダーピン１６は、図１において後退した位置（退避位置）に示されている。リーダーピン１６は、テープカートリッジ１２の開口部２０に近接して配置されている。
【０００９】
テープドライブ１０は、リーダーピン１６に係合するように開口部２０を通して挿入可能な（１つの実施例による）リーダーブロック１８を有する。リーダーブロック１８は、リーダーブロック１８がテープカートリッジ開口部２０を通してリーダーピン１６の位置に設けられる（挿入される）とリーダーピン１６を収容する第１のプロファイル２２（図示される実施例ではノッチ）を有する。図２にさらに示されるように、リーダーブロック１８がリーダーピン１６と係合すると、リーダーブロック１８は、テープドライブ１０によって移動させられ、取り付けられたストレージテープ２４と共に、リーダーピン１６をテープカートリッジ１２から引っ張る。リーダーブロック１８および固定された（attached）リーダーピン１６は、テープドライブ１０内の巻取りリール２６の位置に移動される。リーダーブロック１８は、巻取りリール２６のハブ２７と係合し、それによって、ストレージテープ２４が、巻取りリール２６に巻き付けられることが可能となる。テープが巻取りリール２６に巻き付けられると、テープドライブ１０内のテープヘッド（図示せず）は、データをテープ２４から読み出すか、またはデータをテープ２４に記録する。ソースリール１４および巻取りリール２６は、それぞれのハブ１５および２７を中心に回転する。他の実施形態では、テープドライブの他の構成を用いることができる。
【００１０】
図３は、第１の実施形態による単一リールテープカートリッジ１２のストレージテープ２４をさらに詳細に示す。ストレージテープ２４は、データテープ１０６と、リーダーピン１６に張り付けられる一端部を有するリーダーテープ１０８とを有する。リーダーテープ１０８の他端部は、スプライシングテープ１１２に接着剤で張り付けられる。データテープ１０６の端部もまた、スプライシングテープ１１２に接着剤で張り付けられる。データテープ１０６およびリーダーテープ１０８は、Ｌで示される長手方向軸に沿って延びる。１つの実施態様では、スプライシングテープ１１２は、リーダーテープ１０８およびデータテープ１０６のそれぞれの幅とほぼ等しい幅Ｗを有する。さらに、スプライシングテープ１１２は、スプライシングテープ１１２の側縁部１２６および１２８に対して傾斜した傾斜縁部１１４および１１６を有する。スプライシングテープ１１２の傾斜縁部１１４および１１６はまた、データテープ１０６の側縁部１１８および１２０、ならびにリーダーテープ１０８の側縁部１２２および１２４に対して傾斜している。このように、スプライシングテープ１１２の傾斜縁部は、データテープ１０６およびリーダーテープ１０８の側縁部に対して実質的に非ゼロおよび非垂直角である（０°でもなく９０°でもない）。
【００１１】
図３の例示される実施形態では、スプライシングテープ１１２の傾斜縁部１１４および１１６は、互いにほぼ平行である。しかし、他の実施形態では、傾斜縁部は、平行ではなく、実際に、側縁部１２６および１２８に対して異なる角度であってよい。
【００１２】
データテープ１０６、リーダーテープ１０８、およびスプライシングテープ１１２の各側縁部は、ストレージテープ２４の長手方向軸Ｌとほぼ平行である。データテープ１０６およびリーダーテープ１０８の側縁部に対する傾斜縁部１１４および１１６の傾斜した構成により、ストレージテープ２４をテープドライブ１０の巻取りリール（図１）に巻き付ける際に隆起が発生するのを低減または解消する。従来のテープカートリッジでは、スプライシングテープは、（本明細書に記載されるスプライシングテープの傾斜縁部ではなく）ストレージテープの側縁部に対して垂直な端縁部を有する。スプライシングテープの垂直な端縁部により、従来のスプライシングテープの端縁部、およびリーダーテープとデータテープとの間の境界において厚さが急に変化する。この急な厚さの変化により、巻取りリールに巻き付けられるテープパックの層を通して隆起が刻まれる場合がある。１つの例示的な実施態様では、データテープ１０６は、約９マイクロメートル（μｍ）の厚さであり、リーダーテープ１０８は、約１７μｍの厚さであり、スプライシングテープ１１２は、約２２μｍの厚さである。リーダーテープとデータテープとの間の厚さの差は、スプライシングテープの比較的大きな厚みと関連して、ストレージテープ２４の厚みに急な段差を生じる。
【００１３】
しかし、本発明のいくつかの実施形態による傾斜縁部を有するスプライシングテープを用いることによって、厚さは、さらにゆるやかに変化し、これにより、巻取りリール２６上でのテープパック内に現れる隆起が低減または解消される。隆起を低減または解消することによって、巻取りリール２６からソースリール１４にストレージテープを巻き戻す間にストレージテープ２４の物理的な励振に関連するマイナスの影響が低減または解消される。巻き戻し中のストレージテープ２４の物理的な励振を低減することによって、位置エラー信号（ＰＥＳ）に対するマイナスの影響もまた、低減または解消される。ＰＥＳは、ストレージテープの望ましくない移動を調整するために、テープドライブのテープヘッドによって用いられる。
【００１４】
テープの厚さが（１つの実施例によると、約９μｍから約６μｍへと）次第に減少するとともに、カートリッジ内に存在し、巻取りリール２６（図１）に巻き付けられるテープの量が増加する。急激な厚さの変化に関連する隆起の刻み込みに関する問題は、テープの設計厚みが薄くなるほど深刻になる。解決しないままにしておくと、隆起の刻み込み問題により、データテープのトラック間の間隔またはデータテープの速度は部分的に最適なものにならない（be sub-optimal）可能性がある。
【００１５】
図３にさらに示されるように、データテープ１０６は、スプライシングテープ１１２によってリーダーテープ１０８の端縁部１３２と近接して保持される第１の端縁部１３０を有する。図３の構成では、端縁部１３０および１３２は、データテープ１０６およびリーダーテープ１０８の側縁部とほぼ垂直である。図３に示される構成では、端縁部１３０と１３２との間にはわずかな間隙が存在する。しかし、他の構成では、端縁部１３０および１３２は、（端縁部１３０および１３２が接触するように）互いに近接して保持されることができる。あるいは、端縁部１３０および１３２は、さらに離れて保持されることができる。
【００１６】
データテープ１０６の第１の端縁部１３０は、スプライシングテープ１１２に張り付けられるデータテープ１０６の第１の終端部分の一部である。データテープ１０６の第２の終端部分１３０は、ソースリール１４（図１）に取り付けられる。通常、テープカートリッジの組み立て中、データテープ１０６の第２の終端部分１３０は、単に、ソースリール１４の円筒形ハブ１５の表面に配置される。場合によっては、脱イオン化水またはアルコールがデータテープ１０６の第２の終端部分１３０の接触面に塗布され、ソースリールハブ１５の表面への付着が可能となる。この終端部分１３０がソースリールハブ１５に設けられると、データテープ１０６は、テープパック全体がソースリール１４に巻き付けられるまで、ハブ１５の周囲に巻き付く。ソースリール１４のテープパックに隆起が刻まれるのを低減または解消するために、終端部分１３０における端縁部１３３もまた、データテープ１０６の側縁部１１８および１２０に対して傾斜した構成を有するように切断される。データテープ１０６の傾斜した端縁部１３３は、さらにゆるやかな変化を与え、ソースリール１４に巻き付けられるテープパックの残りの部分に隆起が刻まれるのを低減または解消する。
【００１７】
図４に示される他の実施形態によると、データテープ２００およびリーダーテープ２０２はまた、傾斜縁部２０８および２１０を有するスプライシングテープ２１２によってともに接合される。しかし、データテープ２００およびリーダーテープ２０２は、データテープ２００およびリーダーテープ２０２の端縁部２０４および２０６もそれぞれ傾斜している点で、図３のデータテープ１０６およびリーダーテープ１０８と異なる。データテープ２００およびリーダーテープ２０２の傾斜した端縁部２０４および２０６と、スプライシングテープ２１２の傾斜縁部２０８および２１０との組み合わせは、図３に示される構成よりもさらにゆるやかな厚さの変化を与える。図４の実施形態では、ソースリールハブ１５（図１）と接触するデータテープ２００の端縁部２１４もまた傾斜している。
【００１８】
図５は、ほぼＶ形状の端縁部（傾斜縁部分３０６および３０８が第１のＶ形状の縁部を形成し、傾斜縁部分３１０および３１２が第２のＶ形状の縁部を形成する）を有する、スプライシングテープ３０４によってリーダーテープ３０２に対して所定の位置に保持されたデータテープ３００を有するストレージテープの他の実施形態を示す。傾斜縁部分３０６および３０８は、点３１４で合流し、傾斜縁部分３１０および３１２は、点３１６で合流する。それぞれ互いに近接したデータテープ３００およびリーダーテープ３０２の端部３２０および３２２もまた、ほぼＶ形状であり、スプライシングテープ３０４の傾斜縁部分３０６、３０８、３１０および３１２によって規定される大まかな外形に従う。
【００１９】
ソースリールハブ１５（図１）と接触するデータテープ３００の端縁部３２４もまた、ほぼＶ形状の縁部を形成するように切断されている。しかし、図３、図４および図５の実施形態のそれぞれは、一部がデータテープの側縁部に対して何らかの方法で傾斜または傾いた端縁部１３３、２１４または３２４を有するが、傾いたまたは傾斜した端縁部の特徴は任意選択されるものであり、他の（別の）実施形態ではこれらの傾斜した端縁部の特徴は含まれない。また、他の実施形態では、図３から図５に示されるようなほぼ直線の傾斜縁部または縁部分の代わりに、縁部または縁部分は、湾曲した形状を有してもよい。このように、縁部または縁部分は、縁部または縁部分の大まかな外形が側縁部に対して傾斜していれば、データテープまたはリーダーテープの側縁部に対して「傾斜」しているとみなすことができる。
【００２０】
他の実施形態では、リーダーテープをデータテープに接合するためにスプライシングテープを用いる代わりに、リーダーテープは、データテープに張り付けられることができる。互いに近接したリーダーテープおよびデータテープの端縁部はまた、上記の方法で傾斜してもよい。
【００２１】
上記の説明では、本発明を理解してもらうために、多くの詳細が述べられている。しかし、本発明は、これらの詳細なしに実施することができることを当業者は理解するであろう。本発明は、限られた数の実施形態に関して開示されているが、これらの実施形態から多くの変更および変形が可能であることを当業者は認めるであろう。添付の特許請求項は、本発明の精神および範囲に入る変更および変形を網羅することが意図される。
【図面の簡単な説明】
【００２２】
【図１】リーダーブロックおよびテープカートリッジからテープを受けるための巻取りリールを有するテープドライブの一部を示す図である。
【図２】リーダーブロックおよびテープカートリッジからテープを受けるための巻取りリールを有するテープドライブの一部を示す図である。
【図３】リーダーテープをテープカートリッジ内のデータテープに張り付けるためのスプライシング技法を示す図である。
【図４】リーダーテープをテープカートリッジ内のデータテープに張り付けるためのスプライシング技法を示す図である。
【図５】リーダーテープをテープカートリッジ内のデータテープに張り付けるためのスプライシング技法を示す図である。
【符号の説明】
【００２３】
１０  テープドライブ
１１  ハウジング
１２  テープカートリッジ
１４  ソースリール
１５、２７  ハブ
１６  リーダーピン
１８  リーダーブロック
２０  開口部
２４  ストレージテープ
１０６、２００、３００  データテープ
１０８、２０２、３０２  リーダーテープ
１１２、２１２、３０４  スプライシングテープ
１１４、１１６、２０８、２１０、３０６、３０８、３１０、３１２  傾斜縁部
１２６、１２８  側縁部
２０４、２０６  端縁部
３０６、３０８、３１０、３１２  傾斜縁部分
３２０、３２２、３２８、３３０  端部
【図１】
2005063649.tif 000003
【図２】
2005063649.tif 000004
【図３】
2005063649.tif 000005
【図４】
2005063649.tif 000006
【図５】
2005063649.tif 000007